(57)【特許請求の範囲】
【請求項１】
裏面へ鏡を付設したコンパクト容器の蓋体であって、該蓋体裏返し状態において、
頂板２外周から周壁３を起立する合成樹脂製の蓋本体１と、
上記頂板２の外周部上面へ下面を固着させた枠体12を有し、該枠体の左右ないし前後方向において対向する一方側部の枠部分の上部から枠体内方向へ第１係合板13を突出すると共に、他方側部の枠部分の内方には、該枠部分内面との間に逃げ代としての間隙をおいて、かつその枠部分内面とほぼ並行させて、前後ないし左右両枠部分間に弾性板14を架設し、又該弾性板長手方向中間部上部の側面からは上記第１係合板方向へ第２係合板15を、かつ中間部上面からは指掛け板16を、それぞれ突設した合成樹脂製の鏡取付け部材11と、
上記第１係合板13下面へ一端部を、第２係合板15下面へ他端部を、それぞれ係合させて、それ等第１係合板13を有する枠部分と、弾性板14と、それ等第１係合板付き枠部分と弾性板14との各両端間の枠部分とが囲む囲成空間内へ嵌合させた鏡21とからなり、
上記弾性板14は、指掛け板16押圧による逃げ代方向への弾性変形で第２係合板15が鏡の他端部から離脱可能であると共に第１係合板13は、上記第２係合板離脱状態からの鏡他端部を引上げ、かつ該他端部を上外方へ引くことで鏡一端部が第１係合板13下面から抜出し可能に形成した
ことを特徴とするコンパクト容器の鏡付き蓋体。
【請求項２】
裏面へ鏡を付設したコンパクト容器蓋体であって、該蓋体裏返し状態において、
頂板２外周から周壁３を起立する合成樹脂製の蓋本体１と、
上記頂板２の外周部上面へ下面を固着させた枠体12を有し、該枠体の左右ないし前後方向において対向する両側部の枠部分の内方に、これ等両枠部分内面との間に逃げ代としての間隙をおいて、かつそれ等枠部分内面とほぼ並行させて、前後ないし左右枠部分の両枠部分間に弾性板14,14 を架設し、又これ等両弾性板長手方向中間部の上部側面からは他方弾性板方向へ係合板31,31 を、かつ中間部上面からは指掛け板32,32 を、それぞれ突設した合成樹脂製の鏡取付け部材11と、上記両係合板31,31 下面へ両端部をそれぞれ係合させて、それ等両弾性板と両弾性板両端間の枠部分とが囲む囲成空間内へ嵌合させた鏡21とからなり、
上記両弾性板14,14 は、指掛け板16,16 押圧による逃げ代用間隙内への弾性変形で係合板31,31 が鏡21の両端部から離脱可能に形成した
ことを特徴とするコンパクト容器の鏡付き蓋体。
【発明の詳細な説明】
【０００１】
【発明の属する技術分野】
本発明はコンパクト容器の鏡付き蓋体に関する。
【０００２】
【従来の技術】
通常化粧用コンパクト容器の蓋体裏面には、表裏両面へ接着剤ないし粘着剤を塗布した両面テープを用いて鏡を貼付させている。
【０００３】
【発明が解決しようとする課題】
近時廃棄物の増大のため、廃棄物を材質毎に分別し、分別された資材を再利用することが重視されている。
【０００４】
化粧用コンパクト容器は、通常合成樹脂製の容器本体と蓋体とから形成されているが、その蓋体裏面には鏡が固着されているから、上記分別の見地からその鏡を外すことが必要であるが、その鏡は容易に外すことは出来なかった。尚容器本体と蓋体とは従来金属製ピンで枢着されていたが、該枢着も合成樹脂で行う試みがなされており、このようにすることで鏡を外した蓋体は容器本体と共に合成樹脂として再溶融して利用できる。
【０００５】
本発明の主たる課題は上記コンパクト容器の蓋体から鏡を容易に外すことが可能として、上記廃棄時の分別に便利であるようにすることである。
【０００６】
【課題を解決するための手段】
第１の手段として裏面へ鏡を付設したコンパクト容器の蓋体であって、該蓋体裏返し状態において、
頂板２外周から周壁３を起立する合成樹脂製の蓋本体１と、
上記頂板２の外周部上面へ下面を固着させた枠体12を有し、該枠体の左右ないし前後方向において対向する一方側部の枠部分の上部から枠体内方向へ第１係合板13を突出すると共に、他方側部の枠部分の内方には、該枠部分内面との間に逃げ代としての間隙をおいて、かつその枠部分内面とほぼ並行させて、前後ないし左右両枠部分間に弾性板14を架設し、又該弾性板長手方向中間部上部の側面からは上記第１係合板方向へ第２係合板15を、かつ中間部上面からは指掛け板16を、それぞれ突設した合成樹脂製の鏡取付け部材11と、
上記第１係合板13下面へ一端部を、第２係合板15下面へ他端部を、それぞれ係合させて、それ等第１係合板13を有する枠部分と、弾性板14と、それ等第１係合板付き枠部分と弾性板14との各両端間の枠部分とが囲む囲成空間内へ嵌合させた鏡21とからなり、
上記弾性板14は、指掛け板16押圧による逃げ代方向への弾性変形で第２係合板15が鏡の他端部から離脱可能であると共に第１係合板13は、上記第２係合板離脱状態からの鏡他端部を引上げ、かつ該他端部を上外方へ引くことで鏡一端部が第１係合板13下面から抜出し可能に形成した。
【０００７】
第２の手段として裏面へ鏡を付設したコンパクト容器蓋体であって、該蓋体裏返し状態において、
頂板２外周から周壁３を起立する合成樹脂製の蓋本体１と、
上記頂板２の外周部上面へ下面を固着させた枠体12を有し、該枠体の左右ないし前後方向において対向する両側部の枠部分の内方に、これ等両枠部分内面との間に逃げ代としての間隙をおいて、かつそれ等枠部分内面とほぼ並行させて、前後ないし左右枠部分の両枠部分間に弾性板14,14 を架設し、又これ等両弾性板長手方向中間部の上部側面からは他方弾性板方向へ係合板31,31 を、かつ中間部上面からは指掛け板32,32 を、それぞれ突設した合成樹脂製の鏡取付け部材11と、上記両係合板31,31 下面へ両端部をそれぞれ係合させて、それ等両弾性板と両弾性板両端間の枠部分とが囲む囲成空間内へ嵌合させた鏡21とからなり、
上記両弾性板14,14 は、指掛け板16,16 押圧による逃げ代用間隙内への弾性変形で係合板31,31 が鏡21の両端部から離脱可能に形成した。
【０００８】
【発明の実施の形態】
本発明に関するコンパクト容器の蓋体は、合成樹脂製の蓋本体と、該蓋本体裏面へ固着させた合成樹脂製の鏡取付け部材と、該鏡取付け部材により蓋本体裏面へ取付けされた鏡とからなる。
【０００９】
まず図１から図３が示す第１実施形態について説明する。説明の便宜上蓋体裏返し状態で説明すると、１は合成樹脂製の蓋本体で、該蓋本体は頂板２外周から周壁３を起立し、その周壁の後壁部分3aからは公知のようにコンパクト容器本体の後壁に枢着させる枢着板４を起立し、又周壁前壁部分3bからは上記容器本体の前壁に係合させるフック５を起立している。
【００１０】
上記蓋本体内へは合成樹脂製の鏡取付け部材11を嵌合固着させている。該鏡取付け部材は、上記周壁３の下部内面へ外周面を、かつ頂板２の外周部上面へ下面を、それぞれ固着させた枠体12を有し、その枠体の左右枠部分12a,12a の一方、図示例にあっては右方枠部分の上部から枠体内方向へ第１係合板13を突出する。又図示例にあっては左方枠部分の内方には、図１、図２が示すように逃げ代としての間隙をおいて、かつその枠部分と並行させて前後枠部分12b,12b 間に弾性板14を架設している。該弾性板は長手方向中間部の上部側面から、上記第１係合板13方向へ第２係合板15を突出し、又中間部上面からは指掛け板16を突出している。弾性板14は、図３が示すように指掛け板16押圧により弾性板中間部を上記逃げ代用間隙内へ押込み可能とし、又その押圧解放により指掛け板は弾性復元して元の位置へ復帰可能に形成する。
【００１１】
21は鏡で、該鏡は上記第１係合板13下面へ一端部を、又第２係合板15下面へ他端を、それ等両係合板を鏡押えとしてそれぞれ係合させて図１、図２が示すように、上記第１係合板13を有する枠部分と、弾性板14と、上記第１係合板付き枠部分と弾性板との各両端間の前後各枠部分とが囲む囲成空間内へ嵌合させる。既述第２係合板15は図３のように弾性板14中間部を逃げ代用間隙内へ逃がすことで第２係合板15が鏡の他端から外れるよう設け、又第１係合板13は、図３のように第２係合板15が鏡他端から外れた状態から鏡他端を持ち上げ、該状態から鏡他端部を上外方へ引くことで鏡一端が第１係合板13から外れるよう設ける。
【００１２】
上記構成において、予め蓋本体１内へ鏡取付け部材11をかた嵌めないし接着剤利用等で固着させておき、該状態から図３のように蓋本体１を裏返して弾性板14中間部を側方へ弾性変形させておき、鏡21一端を第１係合板13下方へ押込みした後、鏡21を頂板２上へ載置させ、該状態から弾性板14を離せば図１のように鏡を取付けできる。又鏡取外しの際は上記操作を逆に行う等すればよい。
【００１３】
図４が示す第２実施形態は、既述第１実施形態の弾性板14を枠体12の左右両部へ設け、それ等両弾性板に付設した係合板下面に鏡両端を係合させた例を示す。
【００１４】
蓋本体１および鏡21は第１実施形態の場合と同じである。
【００１５】
鏡取付け部材11は、第１実施形態の場合と同様の枠体12を有し、該枠体の左右両側部の枠部分12a,12a の各内方に、これ等両枠部分内面との間に逃げ代としての間隙をおいて、かつそれ等枠部分と並行させて前後両枠部分12b,12b 間に弾性板14,14 を架設し、これ等両弾性板の長手方向中間部の上部側面から他方弾性板方向へ係合板31,31 をそれぞれ突設し、又中間部上面からは指掛け板32,32 をそれぞれ突設している。それ等両弾性板と、これ等両弾性板両端間の枠部分とが囲む囲成空間内へ鏡21を嵌合させて鏡両端部上へ上記係合板31,31 を係合させて鏡押えとし、上記両指掛け板を押圧して各弾性板14,14 中間部を逃げ代用間隙内へ押込むことで、両係合板31,31 は鏡両端から外れて鏡を取出し可能とする。
【００１６】
該第２実施形態の場合は、第１実施形態の場合と同様に蓋本体内へ鏡取付け部材11を嵌合固着させておき、蓋本体を裏返しとして一方ないし双方の弾性板14,14 を弾性変形させてその中間部を逃げ代用間隙内へ押込み、両弾性板およびそれ等両弾性板両端間の枠体部分内へ鏡21を嵌合させ、次いで弾性板を離して弾性復元させれば、両弾性板が有する両係合板が鏡両端上面へ係合し、このようにすることで鏡を蓋体へ取付けできる。
【００１７】
蓋体廃棄時における鏡取外しの際は上記と逆の操作を行えばよく、蓋本体裏返し状態で両弾性板を弾性変形させて鏡から係合板31,31 を外し、該状態から蓋本体を正立状態へ戻すことで、鏡を容易に外すことが出来る。
【００１８】
既述各実施形態にあっては枠体12の左右両側に弾性板14と第１係合板13とを、又左右両側に弾性板14,14 を設けたが、それ等は枠体の前後両側に設けてもよい。又枠体および鏡を例えば楕円形状等にすることも出来る。
【００１９】
【発明の効果】
本発明は既述構成とするもので、請求項１の場合は、弾性板14を弾性変形させて鏡一端を第１係合板13下面へ、又鏡他端を弾性板が有する第２係合板15下面へ、それぞれ係合させて鏡を蓋体裏面へ装着させ、又逆操作で鏡を蓋体から分離できるから、それ等鏡の取付けおよび取外しを極めて容易に行うことが出来る。
【００２０】
又請求項２の場合は、枠体の左右ないし前後両側部に弾性板14,14 を設けて、それ等弾性板の一方ないし双方を弾性変形させて、請求項１の場合のように鏡を蓋体裏面へ装着し、又取外し出来、この場合もそれ等操作は極めて容易である。
【００２１】
従って合成樹脂製蓋体からの鏡取外しによる分別をコンパクト容器使用者である一般人が容易に行うことで出来、その蓋体の分別回収を普及させることが出来る。
【図面の簡単な説明】
【図１】  本発明蓋体を裏返し状態でみた斜視図である。
【図２】  図１蓋体の断面図である。
【図３】  図１蓋体へ、鏡を取付けする方法および取外す方法を示す説明図である。
【図４】  別実施形態で示す、鏡付き蓋体を裏返し状態でみた、分解斜視図である。
【符号の説明】
１…蓋本体                11…鏡取付け部材
12…枠体                  13…第１係合板
14…弾性板                15…第２係合板
16…指掛け板
【図１】
0003784559.tif 000002
【図２】
0003784559.tif 000003
【図３】
0003784559.tif 000004
【図４】
0003784559.tif 000005